(57)【特許請求の範囲】
【請求項１】
内視鏡の操作部に、流体管路の途中に接続される少なくとも送気送水シリンダおよび吸引シリンダを並設し、前記各シリンダに対して着脱自在に設けた管路操作弁を、前記流体管路を洗滌するために取り外した後、前記各シリンダの開口部を密閉する内視鏡用管路洗滌装置において、
洗滌装置本体に、前記吸引シリンダの開口部を密閉する栓体部と前記送気送水シリンダに装着される送気送水切換え弁を設け、
前記送気送水切換え弁は、前記送気送水シリンダに対する軸方向の進退操作によって該送気送水シリンダ内のコネクタ側送水管路を先端側送気管路と先端側送水管路およびコネクタ側送気管路を先端側送気管路と先端側送水管路に選択的に連通可能であり、前記洗滌装置本体には、前記送気送水切換え弁と係合して該送気送水切換え弁の前進時および後退時にその状態を保持する係合部を一体もしくは別体で設けたことを特徴とする内視鏡用管路洗滌装置。
【発明の詳細な説明】
【０００１】
【発明の属する技術分野】
本発明は、内視鏡の先端構成部へ送気／送水するための管路及び先端構成部から吸引するための管路を同時に洗滌可能とする内視鏡用管路洗滌装置に関する。
【０００２】
【従来の技術】
一般に内視鏡には、送気送水を操作するための送気送水操作弁と吸引を操作するための吸引操作弁とが操作部に並設されている。そして、従来の内視鏡の管路洗滌装置は、例えば、特開平４−３７１１３０号公報のように、操作部に並設された各シリンダの開口部を密閉し、シリンダの開口部から洗滌液等が噴出するのを防止するものであった。
【０００３】
図２２及び図２３は内視鏡の全体構成図で、１は挿入部、２は操作部、３はユニバーサルコード部、４はコネクタ部である。管路内の洗滌は、送気送水シリンダ８及び吸引シリンダ９部へ管路洗滌装置２１のセッティング後、例えば図２２のように光源の送気ポンプ２２及び吸引ポンプ２３を使って先端部側送気管路１０内と先端部側送水管路１１内を送水洗滌したり、先端部側吸引管路１２内を先端側から洗滌液を吸引して吸引洗滌していた。
【０００４】
【発明が解決しようとする課題】
しかしながら、前記先端部側送気管路１０内と先端部側送水管路１１内の送水洗滌については確実かつ効率的な洗滌ができていなかった。つまり、単に送気送水シリンダ８及び吸引シリンダ９のシリンダ開口部を密閉する構造のため、送気送水シリンダ８内に供給される流体は水と空気の両方であり、コネクタ部４から送気送水シリンダ８までのコネクタ側送気管路１８とコネクタ側送水管路１９の両管路抵抗のバランスが悪いと実際にはシリンダ部には水はほとんど送液されず、空気のみが供給される場合が多かった。そのため、先端部側送気管路１０内と先端部側送水管路１１内の送水洗滌は送水量が少ないため、不十分であり、かつ時間がかかった。
【０００５】
また、前記送水洗滌後の先端部側送気管路１０内と先端部側送水管路１１内の水切り作業も図２３のように送水タンク取付部を指で塞ぎ、水切りが完了するまで保持していなければならず非常に面倒だった。
【０００６】
本発明は前記事情に着目してなされたもので、その目的とするところは、先端部側送気管路と先端部側送水管路内の送水洗滌及び水切りを先端部側吸引管路内洗滌と同時に確実かつ短時間かつ手間なく行なえる内視鏡用管路洗滌装置を提供することにある。
【０００７】
【課題を解決するための手段】
本発明は、前記目的を達成するために、内視鏡の操作部に、流体管路の途中に接続される少なくとも送気送水シリンダおよび吸引シリンダを並設し、前記各シリンダに対して着脱自在に設けた管路操作弁を、前記流体管路を洗滌するために取り外した後、前記各シリンダの開口部を密閉する内視鏡用管路洗滌装置において、洗滌装置本体に、前記吸引シリンダの開口部を密閉する栓体部と前記送気送水シリンダに装着される送気送水切換え弁を設け、前記送気送水切換え弁は、前記送気送水シリンダに対する軸方向の進退操作によって該送気送水シリンダ内のコネクタ側送水管路を先端側送気管路と先端側送水管路およびコネクタ側送気管路を先端側送気管路と先端側送水管路に選択的に連通可能であり、前記洗滌装置本体には、前記送気送水切換え弁と係合して該送気送水切換え弁の前進時および後退時にその状態を保持する係合部を一体もしくは別体で設けたことを特徴とする。
【０００８】
【発明の実施の形態】
以下、本発明の各実施の形態を図面に基づいて説明する。
図１〜図４は第１の実施形態を示し、図１は内視鏡用管路洗滌装置の全体構成図である。内視鏡は挿入部１、操作部２、ユニバーサルコード部３及びコネクタ部４とから構成されている。挿入部１の先端側には先端構成部５が設けられ、先端構成部５には図示しない観察窓、照明窓の他、送気送水ノズル６と吸引口７が設けられている。
【０００９】
操作部２には送気送水シリンダ８と吸引シリンダ９が設けられている。送気送水シリンダ８、吸引シリンダ９にはそれぞれ図示しない送気送水操作弁と吸引操作弁が着脱自在に装着され、また、本発明の管路洗滌装置も着脱自在に装着できる。
【００１０】
挿入部１の内部には先端部側送気管路１０、先端部側送水管路１１、先端部側吸引管路１２が配設され、それらの後端側は各々、前記送気送水シリンダ８及び吸引シリンダ９の内部に開口している。
【００１１】
尚、先端部側吸引管路１２については途中、管路が分岐しており、その端部は処置具挿入口１３に連通している。処置具挿入口１３の１つでもある処置具挿入口洗滌チューブ１４が着脱自在に装着される。
【００１２】
一方、コネクタ部４には、吸引ポンプ接続口１５、送水タンク接続口１６及び送気ポンプ接続口１７が設けられている。吸引ポンプ接続口１５には吸引ポンプ２３からの接続チューブが接続される。送水タンク接続口１６には送水タンク２４が接続される。送気ポンプ接続口１７には図示しない光源装置内に設けられた送気ポンプ２２からの管路が接続される。
【００１３】
図１には検査終了後、処置具挿入口１３に処置具挿入口洗滌チューブ１４を取り付け、先端構成部５を洗滌液２５の中に入れ、本発明の管路洗滌装置２１を取り付けようとする状態を示している。尚、この時はまだ送気ポンプ２２と吸引ポンプ２３はＯＦＦ状態である。
【００１４】
図２は管路洗滌装置２１の外観図及び断面図である。この管路洗滌装置２１は、大きく別けると、シリンダ口把持部２６、本体２７及び連結板２８から構成されている。シリンダ口把持部２６の材質は例えばＳＵＳ等の板材でできており、形状は洗滌用排水口５２を設けた１辺を含む３辺を折り曲げた形をしている。底面にはＵ字状スリット５４が形成されている。
【００１５】
本体２７とシリンダ口把持部２６は側面から複数個の固定ピン４６と接着剤で位置決め固定されている。また、連結板２８には主に送気送水切換え弁２９と栓体部３０が設けられている。送気送水切換え部２９は可動軸３１、軸受３２、第１ばね３３及びばね座３４から主に構成されており、ばね座３４は可動軸３１と軸受３２との接着ねじ固定ではさみ込まれている。ばね座３４にはフランジ部があり、第１ばね３３の他端を受けるようになっている。第１ばね３３のもう一方の他端は連結板２８で受けている。また軸受３２の上部にはガイドピン３５が水平方向に突出する形で固定されている。
【００１６】
さらに、可動軸３１には第１ゴムパッキン３６、第２ゴムパッキン３７、第３ゴムパッキン３８、逆止弁３９とスライド受け４０が設けられている。また可動軸３１の中心には流路４５が軸方向と外周に形成されている。可動軸３１の材質は主にＳＵＳ等の金属で、第１ゴムパッキン３６、第２ゴムパッキン３７、第３ゴムパッキン３８、逆止弁３９の材質はシリコン系のゴム材、スライド受け４０の材質は変性ＰＰＯ等、ＰＳＵ等の樹脂ができている。
【００１７】
栓体部３０は、第２ばね４１、栓体部本体４２、栓体部本体受け４３とからなり、栓体部本体４２には第４ゴムパッキン４４が設けられている。栓体部本体受け４３の他端には連結板２８に引っ掛かるフランジ部が設けられている。栓体部本体受け４３と栓体部本体４２は第２ばね４１を図２のように、挟み込んで接着ねじ固定されている。尚、本管路洗滌装置２１は耐薬、耐オートクレーブ上、接着剤にはエポキシ系の耐薬、耐熱性のものを使用している。
【００１８】
前記本体２７の上面にはシリンダ口把持部２６と同様、第２のＵ字状スリット５５があり、そのスリット５５の底部には、部分的に隆起したピンスライド部４７が設けられている。ピンスライド部４７には傾斜部４８と上部に設けられた凹部４９がある。
【００１９】
また、凹部４９に位置する近傍には、送気モード指標５１があり、傾斜部４８の途中には送水モード指標５０がある。更にスリット５５の口元側外側にはすべり止め５３が設けられている。更にスリット５５の途中には、本管路洗滌装置２１のシリンダ部への着脱ポイントを示す凹部４９が設けられている。
【００２０】
以上のように、送気送水切換え弁２９と栓体部３０が固定された連結板２８は横にスライド可能にシリンダ口把持部２６と本体２７で覆われている構造である。尚、図２ではケーシングがシリンダ口把持部２６と本体２７の２体で構成されているが、１体で構成しても構わない。ちなみに本体２７の材質は変性ＰＰＯ．ＰＳＵ等の樹脂でできている。
【００２１】
次に、第１の実施形態の作用について説明する。動作説明の前に図３に示すシリンダ側構造を説明する。操作部本体５６に対して送気送水シリンダ８と吸引シリンダ９が固定されている。固定方法は、送気送水シリンダ８、吸引シリンダ９とも端部にフランジ部がある第１止め口金５７及び第２止め口金６０で外側から操作部本体５６を挟み込むように、かつ、第５ゴムパッキン５８で水密固定している。
【００２２】
送気送水シリンダ８の内面には４つの開口部があり、各開口部はパイプ材５９を介して各管路に接続されている。空気入口５９ａはコネクタ側送気管路１８へ、空気出口５９ｂは先端部側送気管路１０へ、液体入口５９ｃはコネクタ側送水管路１９へ、液体出口５９ｄは先端部側送水管路１１へ連通している。
【００２３】
一方、吸引シリンダ９の内面には２つの開口部があり、同様に各開口部はパイプ材５９を介して各管路に接続されている。洗剤入口５９ｅは、先端部側吸引管路１２へ、洗剤出口５９ｆはコネクタ側吸引管路２０へ連通している。
【００２４】
図３は各シリンダへ送気送水切換え弁２９と栓体部３０を挿入した後、本体２７と一体になったシリンダ口把持部２６を横方向へスライドさせガイドピン３５を送水モード指標５０の位置まで移動させた状態である。
【００２５】
この状態はガイドピン３５が傾斜部４８に接触して係合している。この時本管路洗滌装置２１は、操作部側の第１止め口金５７及び第２止め口金６０を本管路洗滌装置２１側のシリンダ口把持部２６、ばね座３４及び栓体部本体４２で挟み込んで固定されている。
【００２６】
この状態での各管路の連通状態は以下のようになっている。
液体入口５９ｃが液体出口５９ｄと空気出口５９ｂの両方に連通し、空気入口５９ａは、逆止弁３９と送気送水シリンダ８との密着で遮蔽されている。洗剤入口５９ｅと洗剤出口５９ｆは連通している。尚、両シリンダ開口部は外部に対しシール部材の第１ゴムパッキン３６及び第４ゴムパッキン４４でシールされている。
【００２７】
この状態で他の部分を図１のように接続し、送気ポンプ２２と吸引ポンプ２３を作動させると次のようになる。コネクタ側送気管路１８が送気送水シリンダ８内で閉じているため、送気ポンプ２２の送気は全て送水タンク２４内へ送られ水面を加圧する。送水タンク２４内の水はコネクタ側送水管路１９を通り先端部側送気管路１０及び先端部側送水管路１１へ供給され、両管路１０，１１内を洗滌する。一方、吸引管路系については吸引口７及び処置具挿入口１３から洗滌液を吸引するので、先端部側吸引管路１２とコネクタ側吸引管路２０の内部は洗滌できる。
【００２８】
図４は、図３の状態から更にシリンダ口把持部２６、本体２７を横方向にスライドさせ、送気モード指標５１の位置までガイドピン３５を移動させ、結果的に送気送水切換え弁２９を軸方向上方へ移動させた状態である。ガイドピン３５は傾斜部４８に沿って誘導された後、ピンスライド部４７の上部に設けられた凹部４９に係合している。
【００２９】
この状態での各管路の連通状態は以下のようになっている。
空気入口５９ａが空気出口５９ｂと液体出口５９ｄの両方に連通し、液体入口５９ｃは第３ゴムパッキン３８と送気送水シリンダ８の密着により遮蔽されている。洗剤入口５９ｅと洗剤出口５９ｆは図３の状態と変わらず連通したままである。すなわち、コネクタ側送水管路１９が送気送水シリンダ８内で閉じているため、送気ポンプ２２からの送気は全てコネクタ側送気管路１８を通り送気送水シリンダ８内に送られる。更に矢印のように逆止弁３９とシリンダ内壁の間を通り、先端部側送気管路１０及び先端部側送水管路１１へ供給され、両管路１０，１１の水切りが行なわれる。
【００３０】
前述した第１の実施形態によれば、次のような効果がある。
送水洗滌が確実に行なえる。
切り換え操作以外はハンドフリーで管路内洗滌と水切りが可能なため手間がかからない。
【００３１】
吸引洗滌も同時にできるので、洗滌時間の短縮ができる。
通常の検査に使用する光源の送気ポンプと吸引ポンプのみあればよく、特別な洗滌用ポンプは必要ない。
【００３２】
図５及び図６は第２の実施形態を示し、第１の実施形態と同一構成部分は同一番号を付して説明を省略する。第１の実施形態と異なる所は、送気送水切換え弁２９の切換え操作方法の違いのみである。
【００３３】
すなわち、軸受３２の頭部には、把持用凸部６２が設けられている。また本体２７の上面にはモード切換え用凸部６３が形成されている。モード切換え用凸部６３はガイドピン３５が突き当たるストッパー面６４と上面に設けられた凹部４９とからなる。ストッパー面６４と凹部４９の角度は例えば図５のように９０°に形成されている。それに合わせて、送水モード指標５０と送気モード指標５１の位置を図５のようになっている。
【００３４】
次に、第２の実施形態の作用について説明する。
各シリンダ内に送気送水切換え弁２９と栓体部３０を挿入後、一体化されたシリンダ口把持部２６と本体２７を横方向にスライドさせ、ガイドピン３５がストッパー面６４に突き当たった状態が図５であり、第１の実施形態でいうと図３の状態（送水モード）である。この時の各管路の状態も図３と同じである。
【００３５】
この状態から、把持用凸部６２を指で把持して、いったん上へ引っ張った後、９０°回転させてガイドピン３５を凹部４９に嵌合させた状態が図６である。この状態は第１の実施形態でいう図４の状態（送気モード）であり、この時の各管路の状態も図４と同じである。つまり、送気送水切換え弁２９をいったん上へ引っ張った後９０°回転させて送気モードに切り換える操作上の違いが第１の実施形態と異なる。
【００３６】
第２の実施形態の効果は第１の実施形態と同じ。ただ外形的には、第１の実施形態よりもスライド全長が短く出来る分若干小形化できる。
図７は第３の実施形態を示し、第１及び第２の実施形態と同一構成部分は同一番号を付して説明を省略する。第２の実施形態のモード切換え用凸部６３が本体２７と別体になったものが本実施形態である。（ａ）が送水モードで、（ｂ）が送気モードである。
【００３７】
モード切換え板６５の板厚は、例えば図５のｌである。本体２７側には送水モード指標５０があり、モード切換え板６５には送気モード指標５１が形成されている。モード切換え板６５と連結板２８はチェーン等で連結されている。
【００３８】
第３の実施形態の作用は、送気送水切換え弁２９の頭部に設けられた把持用凸部６２を引っ張り上げた後、モード切換え板６５を本体２７とガイドピン３５の間に挿入して送気モードに切り換える。尚、図７（ａ）が送水状態で、同図（ｂ）が送気状態を示し、効果は第１、第２の実施形態と同じである。
【００３９】
図８及び図９は内視鏡の電気コネクター部６６に装着する洗滌用防水キャップ６７を示し、その防水キャップ６７は金属チェーン６９等でコネクタ部４に連結されている。検査中は防水キャップ６７が不要なため、下に垂らしておくか又はビデオプロセッサー又は光源７０の筺体６８の上に置くしかなかった。そのため、金属チェーン６９が筺体６８に触れた状態で万が一、筺体６８に内部回路からの洩れ電流があった場合、金属チェーン６９を通ってスコープ外装金属に流れる可能性があった。例えば金属チェーン６９を絶縁部材にして対策する方法もあるが、外観的にはきまった置き場所がないので非常に見苦しかった。
【００４０】
図８は光源７０に接続したコネクタ部４の側面図であり、検査時の状態でもある。コネクタ部４は接続部７１、コネクタ部本体７２、ユニバーサル側折れ止め部７３とからなり、一端に防水キャップ６７が連結された金属チェーン６９の他端が連結される防水キャップ取付部材７４はコネクタ部本体７２と折れ止め部７３の間に挟まれて固定されている。
【００４１】
図９（ｂ）は防水キャップ取付部材７４の正面図、側面図及び平面図で、図９（ａ）は防水キャップ取付部材７４を取り付けたコネクタ部本体７２の後方から見た図である。
【００４２】
防水キャップ取付部材７４の上部には防水キャップ置き場７５が形成されており、組み付けられた状態ではじめて、図８のように防水キャップ置き場７５としての機能を持つような形状になっている。つまり、正確には、防水キャップ６７の置き場所をコネクタ部本体７２のコネクタ部外装部材７６と防水キャップ取付部材７４とで形成している。
【００４３】
前述した構成によれば、防水キャップ取付部材７４の大きさは小さくできる。更に防水キャップ取付部材７４の形状的な特徴は、図９（ｂ）のごとく略Ｔ字形状をしており、機能的に不要な部分は極力えぐられている。また固定においても、挟み込むだけの無接着固定構造である。防水キャップ取付部材７４側には回転規制用凸部７７、コネクタ部本体７２側には回転規制用凹部７８が形成されている。その結果、洗滌性及び水切り乾燥性が良い。
【００４４】
前述した実施形態によれば、次のような構成が得られる。
（付記１）流体管路の途中に接続された複数のシリンダを操作部に並設し、管路操作弁が外方から前記シリンダに着脱自在な内視鏡の流体管路内を洗滌するために管路操作弁を外した後のシリンダ開口部を外方から密閉する内視鏡用管路洗滌装置において、吸引シリンダ開口部を密閉した状態で、送気送水シリンダ内のコネクタ側送水管路を先端部側送気管路と先端部側送水管路及びコネクタ側送気管路を先端側送気管路と先端部側送水管路に選択的に連通させ、かつ各々の状態を保持できる手段を設けたことを特徴とする内視鏡用管路洗滌装置。
【００４５】
（付記２）挿入部において少なくともコネクタ側送水管路と先端部側送水管路を連通させる第１の状態と少なくともコネクタ側送気管路と先端部側送気管路で連通させる第２の状態を保持できる手段を設けたことを特徴とする付記１記載の内視鏡用管路洗滌装置。
【００４６】
（付記３）操作部において第１の状態と第２の状態を切換える手段をシリンダ部に係止されるシリンダ口把持部に一体に設けたことを特徴とする付記１記載の内視鏡用管路洗滌装置。
【００４７】
一方、内視鏡の湾曲管部において、湾曲駒の外周に被嵌する筒状のブレードは特開平４−３５７９２１号公報で示される如く、湾曲管部の両端部において着脱自在に固定してブレード部組のみ交換可能にした内視鏡が提案されている。
【００４８】
しかし、従来の着脱自在なブレード部組の両端に設けられた取付け用部材はその内径が先端部本体に強固に接着固定した先端カバーの外径より小さい。さらに先端部本体の最大外径より小さいものとがある。後者の場合には先端部本体に段差を設け、その段差の低い面部に取付け用部材を固定している。
【００４９】
ブレード部組を取り外す場合、先端カバーより内径を小さくした取付け用部材のものでは、先端カバーを壊すなどにより、先端部本体に接着した先端カバーの固定を外してからブレード部組を取り外さなければならない。一方、先端部本体の最大外径より内径を小さくした取付け用部材のものでは、先端カバーを外してもブレード部組を壊さない限り、先端部から外すことができない。
【００５０】
本開示例は、ブレード部組を挿入部の先端側から外せるようにして容易に分解が可能であり、またブレード部組の組み付けが容易であり、修理性の向上を図り、修理費用の低減を図ることができるようにしたものである。
【００５１】
図１０及び図１１は第１の開示例を示す。図１１に示すように、ブレード７９の先端側内側には係止部材８０が固定されている。固定手段は、ハンダ、接着、ビス固定、カシメ等何でも良い。同図（ａ）はブレード７９が自然状態であり、同図（ｂ）はブレード７９を軸方向に縮めて内径φB をφB ＞φA にした状態である。
【００５２】
図１０（ａ）は、係止部材付ブレードを図１１（ｂ）の状態にして、先端部本体８１に先端カバー８２が固定された状態で先端部側から通して、前記係止部材８０を、湾曲第１駒８３の外周に設けられた切り欠き凹部８４に嵌合して固定してある。
【００５３】
具体的な固定方法は、まず、係止部材８０を切り欠き凹部８４に嵌合後、シリコン系等の接着剤を係止部材８０の近傍ないし全周に塗布後２点鎖線で示した熱収縮チューブ８５で熱収縮させ、その状態で接着剤の乾燥を行なう。乾燥後、熱収縮チューブ８５をカットし、除去した後、湾曲ゴム８６を被覆してある。
【００５４】
図１０（ｂ）は、図１０（ａ）のＢ−Ｂ線に沿う断面図である。係止部材８０が湾曲第１駒８３の外径から飛び出ない状態で切り欠き凹部８４に嵌合されている。尚、湾曲操作ワイヤー８７と湾曲第１駒８３とは切り欠き凹部８４の所でロー付け固定されている。
【００５５】
第１の開示例によれば、何らかの理由でブレード７９に異常が発生したときのブレード７９を取り外す場合は、湾曲ゴム８６を取り外した後、係止部材８０の近傍に塗布されている接着剤を除去後、切り欠き凹部８４から係止部材８０を取り外す。その後、ブレード７９を図１１（ｂ）のようにして内径が先端カバー８２を通るように膨らませて先端側から引き抜く。
【００５６】
第１の開示例によれば、先端カバー８２を破壊したり除去したりすることなく、先端側からブレード７９が取り外し取り付けが出来るので修理性が良い。また修理費用を安くすることができる。切り欠き部の空間を利用しているので軸方向及び回転方向の規制が径を太らせずに行なえる。また、係止部材８０はリング状ではないので、係止部材８０が先端カバー８２の外周を通過する時の自由度が大きく、断面異形の内視鏡には特に有効である。
【００５７】
図１２は第２の開示例を示し、先端構成部５の送気送水ノズル６の固定構造に関する。送気送水ノズル６の内径と外径を偏心させて、厚肉となった部分に切り欠き部８９を設け、この切り欠き部８９に固定部材９０を当てつけて送気送水ノズル６を先端カバー８２に固定している。第２の開示例によれば、簡単な加工で、送気送水ノズル６の固定と回転止めが行える。
【００５８】
図１３は第３の開示例を示し、先端構成部５の送気送水ノズル６の固定構造に関する。送気送水ノズル６の外面に弾性部材９１がアウトサートされており、それが先端カバー８２又は先端部本体８１に圧入されている。尚、弾性部材９１の外面にさらに凹凸をつけて引掛りを設けても良い。第３の開示例によれば、検査時に送気送水ノズル６が外れにくく、しかもリペアー性が非常に良い。
【００５９】
図１４及び図１５は第４の開示例を示し、先端カバー８２の一部を延出し、湾曲ゴム８６の糸巻きで先端部本体８１に対し、先端カバー８２を固定する構造を示したものである。従来は、図１４に示すように、先端カバー８２の後端部に、後端に向かって径の小さくなるテーパ面９２をもった延出部９３が設けられており、この延出部９３の上に湾曲ゴム８６の糸巻きがされていた。しかし、後端に向かって径の小さくなるテーパ面９２の上で糸巻きをしているので先端カバー８２を先端側に向かって押す応力が常に加っていたので先端カバー８２が先端部本体８１から剥離して水洩れを起こす可能性があった。
【００６０】
図１５（ａ）はテーパ面９２を後端に向かって径を大きくしたものであり、同図（ｂ）は、延出部９３の外周に溝９４を設けたものである。従って、両者共、先端カバー８２に加わる剥離方向の応力の軽減ができる。
【００６１】
図１６〜図１８は第５の開示例を示し、図１６と図１７は着脱自在なノズル付き先端カバー９５の構造を示す。まず、図１６及び図１７について説明すると、先端カバーは２体で構成されており、１つは前記ノズル付き先端カバー９５でもう１つは固定型先端カバー９６である。どちらも電気的絶縁性のある樹脂でできている。
【００６２】
固定型先端カバー９６は先端部本体８１に対し、図１７に示すように、固定ピン９７で設置決めされ、接着固定されている。固定型先端カバー９６の外周には例えば図１６に示すように、略Ｈ状凸部９８が形成されている。また、固定型先端カバー９６の外周には、図１６、図１７に示すように、挿入部１の軸方向にのびるスライド溝９９が形成されている。
【００６３】
さらに、固定型先端カバー９６の先端側端面には観察窓１００、照明窓１０１及び吸引口７が設けられている。先端部本体８１の送気送水開口部１０２の開口周辺にはシール部材１０３が先端部本体８１と固定型先端カバー９６にはさまれて配設されており、シール部材１０３の先端面は表面に露出している。
【００６４】
固定型先端カバー９６にノズル付き先端カバー９５が装着された状態ではノズル付き先端カバー９５のノズル部裏面１０５はノズル開口部１０６を除き全周が強固に前記シール部材１０３の先端面と水密的に密着している。
【００６５】
また、図１８は、ノズル付き先端カバー９５の斜視図である。側面にはＴ字状スリット１０７が形成され、内面には軸方向にのびる位置決め用凸部１０８が設けられている。装着方法は位置決め用凸部１０８をスライド溝９９に合わせて挿入し、Ｔ字状スリット１０７にＨ状凸部９８を嵌合させて固定する。Ｈ状凸部９８の形状がＨ形状をしているため、回転及び軸方向が規制できる。取り外す時はＨ状凸部９８に設けられた取り外し用凹部１０９にドライバー等を挿入し、ノズル付き先端カバー９５の固定部１１０を折り曲げて破壊して取り外す。
【００６６】
第５の開示例によれば、シール部材１０３がスコープ本体側に設けられているので、ノズル付き先端カバー９５を多少粗雑に取り付いてもノズル部裏面１０５は確実にシールされるため、脇から液洩れ等が生ぜず、送気及び送水量への影響も少ない。また、ノズル付き先端カバー９５側にはシール部材が不要なので、安くできる。
【００６７】
図１９は第６の開示例を示し、湾曲部のブレード７９の固定方法に関する。ブレード７９の両端を湾曲ゴム８６の糸巻き接着部１１１の下まで延ばしてあり、ブレード７９の固定も糸巻き接着部１１１で兼ねている。第６の開示例によれば、ブレード７９の交換が簡単に行なえ、かつ、その固定部の外径が太くならない。また、組立性を更によくするために、ブレード７９の両端に仮固定用の糸しばりを行なってから湾曲ゴム８６を被覆し、糸巻き接着しても良い。
【００６８】
図２０及び図２１は第７の開示例を示し、図２０及び図２１は、下部消化管において腸管を直線化するためのスライディングチューブに関する。従来はスコープとスライディングチューブの間に腸壁がはさみ込まれ、傷つける恐れがあった。図２０及び図２１は腸壁を傷つけることのない安全なスライディングチューブを提供することを目的とする。
【００６９】
図２０に示すように、スコープの挿入部１とスライディングチューブ１１２の間に挿入補助チューブ１１４が介在しており、その一端は肛門入口近傍で患者に固定されている。挿入部１に沿ってスライディングチューブ１１２を挿入してゆくと、挿入補助チューブ１１４が矢印の方向に動くためスライディングチューブ１１２の先端部で腸壁を巻き込むことがないようになっている。
【００７０】
また、図２１に示すように、スライディングチューブ１１２の手元側に挿入部１との間を水密にする水密部１１５を設け、かつ、スライディングチューブ１１２と挿入部１との間を送気する送気手段が設けられている。常にスライディングチューブ１１２と挿入部１との間から空気を送ることにより、スライディングチューブ１１２の先端部での巻き込みを防止したものである。矢印は空気の流れを示す。
【００７１】
前記各開示例によれば、次のように構成が得られる。
（付記４）挿入部が、先端構成部と、この先端構成部より手元側に位置して複数の湾曲駒を傾動自在に連結したものの外周にブレードを被嵌してなる湾曲管部とを有し、前記湾曲駒の先端湾曲駒の外周に湾曲操作ワイヤー固定用の凹部を設けた内視鏡において、前記ブレードの先端側内側に少なくとも１つ以上の係止部材を固定し、その係止部材を前記湾曲操作ワイヤー固定用の凹部に外側から係合させたことを特徴とする内視鏡。
【００７２】
前記構成によれば、ブレードが破損した場合、先端部本体に先端カバーが固定されている場合でも、その先端カバーを取り外すことなく、内視鏡先端部側からブレードを簡単に取り外すことができる。また、新しいブレード部組を挿入して簡単に組み立てることが可能である。
【００７３】
【発明の効果】
以上説明したように、本発明によれば、送水洗滌が確実に行なえる。切り換え操作以外はハンドフリーで管路内洗滌と水切りが可能なため、手間がかからない。
また、吸引洗滌も同時にできるので、トータルの洗滌時間が短縮できる。
通常の検査に使用する光源の送気ポンプと吸引ポンプのみあればよく、特別な洗滌用ポンプは必要ないなどの効果がある。
【図面の簡単な説明】
【図１】  本発明の第１の実施形態を示す内視鏡の全体構成図。
【図２】  同実施形態の管路洗滌装置を示し、（ａ）は平面図、（ｂ）は側面図、（ｃ）はＡ−Ａ線に沿う断面図、（ｄ）は下面図。
【図３】  同実施形態のシリンダ部を示し、（ａ）は平面図、（ｂ）は縦断側面図。
【図４】  同実施形態のシリンダ部を示し、（ａ）は平面図、（ｂ）は縦断側面図。
【図５】  本発明の第２の実施形態のシリンダ部を示し、（ａ）は平面図、（ｂ）は縦断側面図。
【図６】  同実施形態のシリンダ部を示し、（ａ）は平面図、（ｂ）は縦断側面図。
【図７】  本発明の第３の実施形態のシリンダ部を示し、（ａ）は送水モード、（ｂ）は送気モードの平面図。
【図８】  本発明の第４の実施形態を示すコネクタ部の一部切欠した側面図。
【図９】  同実施形態を示し、（ａ）は防水キャップ取付部材の後面図、（ｂ）は防水キャップ取付部材の正面図、側面図及び平面図。
【図１０】  第１の開示例を示し、（ａ）はブレードの縦断側面図、（ｂ）はＢ−Ｂ線に沿う断面図。
【図１１】  同開示例を示し、（ａ）はブレードの自然状態の正面図及び側面図、（ｂ）はブレードを軸方向に圧縮した状態の正面図及び側面図。
【図１２】  第２の開示例の送気送水ノズルを示し、（ａ）は縦断側面図、（ｂ）はＣ−Ｃ線に沿う断面図。
【図１３】  第３の開示例の送気送水ノズルを示す縦断側面図。
【図１４】  第４の開示例を示す先端部本体の縦断側面図。
【図１５】  同開示例の先端部本体の縦断側面図。
【図１６】  第５の開示例のノズル付き先端カバーを示し、（ａ）は先端部本体の正面図、（ｂ）は矢印Ｄ方向から見た図、（ｃ）はＥ−Ｅ線に沿う断面図。
【図１７】  同開示例のノズル付き先端カバーの取付状態を示す横断面図。
【図１８】  同開示例のノズル付き先端カバーの斜視図。
【図１９】  第６の開示例を示す内視鏡の湾曲部の縦断側面図。
【図２０】  第７の開示例のスライディングチューブの使用状態図。
【図２１】  同開示例のスライディングチューブの使用状態図。
【図２２】  従来の内視鏡用管路洗滌装置の全体構成図。
【図２３】  従来の内視鏡用管路洗滌装置の全体構成図。
【符号の説明】
２…操作部
８…送気送水シリンダ
９…吸引シリンダ
１０…先端部側送気管路
１１…先端部側送水管路
１８…コネクタ側送気管路
１９…コネクタ側送水管路
【図１】
0004225611.tif 000002
【図２】
0004225611.tif 000003
【図３】
0004225611.tif 000004
【図４】
0004225611.tif 000005
【図５】
0004225611.tif 000006
【図６】
0004225611.tif 000007
【図７】
0004225611.tif 000008
【図８】
0004225611.tif 000009
【図９】
0004225611.tif 000010
【図１０】
0004225611.tif 000011
【図１１】
0004225611.tif 000012
【図１２】
0004225611.tif 000013
【図１３】
0004225611.tif 000014
【図１４】
0004225611.tif 000015
【図１５】
0004225611.tif 000016
【図１６】
0004225611.tif 000017
【図１７】
0004225611.tif 000018
【図１８】
0004225611.tif 000019
【図１９】
0004225611.tif 000020
【図２０】
0004225611.tif 000021
【図２１】
0004225611.tif 000022
【図２２】
0004225611.tif 000023
【図２３】
0004225611.tif 000024